(57)【要約】【課題】配線孔の周縁部に配線コードが当たってもコード表面が劣化しにくく、電装品の接続の信頼性を高めた遊技機を提供する。【解決手段】本発明による遊技機は、電装品の周囲の板材（３０ａ）に電装品の配線コード（５５）を通すための配線孔（Ｈ）が設けられる。板材（３０ａ）の配線孔（Ｈ）の周縁部には、配線孔（Ｈ）の孔面に連なって板材（３０ａ）の板厚方向に延び、配線コード（５５）を支持可能なリブ壁（５３）が設けられる。【選択図】      図９
2004248952.tif 000002
【特許請求の範囲】
【請求項１】
電装品の周囲の板材に前記電装品の配線コードを通すための配線孔を設けるようにした遊技機において、
前記板材の前記配線孔の周縁部に、前記配線孔の孔面に連なって前記板材の板厚方向に延び、前記配線コードを支持可能なリブ壁を設けたことを特徴とする遊技機。
【発明の詳細な説明】
【０００１】
【発明の属する技術分野】
本発明は、遊技機に関するもので、例えばパチンコ機、アレンジボール機等の遊技機に適用されるものである。
【０００２】
【従来の技術】
パチンコ機等の遊技機は、各種の電装品を接続する配線コードを備えている。電装品の周囲は、通常、ケース等の板材で仕切られるため、このような板材に電装品の配線コードを通すための配線孔を設けることがある。
従来、このような配線孔は、板材の板面に配線コードを通せる程度の適度な大きさの孔を貫通させている。
【０００３】
【特許文献１】
特開２００１−３３４０５１号公報
【０００４】
【発明が解決しようとする課題】
しかしながら、このような従来の配線孔の構成では、板材の板厚が薄いため、配線コードが配線孔の周縁部に当たると、摩擦によってコード表面が劣化しやすい。特に、開閉式の扉に電装品が設けられる場合には、開閉時に配線コードが引っ張られて配線孔の周縁部に当たり、コード表面に疵が付きやすくなる。
本発明は、このような問題点に鑑みなされたもので、配線孔の周縁部に配線コードが当たってもコード表面が劣化しにくく、電装品の接続の信頼性を高めた遊技機を提供することを目的としている。
【０００５】
【課題を解決するための手段】
［第１発明］
前記課題を解決するための本発明（第１発明）による遊技機は、電装品の周囲の板材に前記電装品の配線コードを通すための配線孔を設けるようにした遊技機において、
前記板材の前記配線孔の周縁部に、前記配線孔の孔面に連なって前記板材の板厚方向に延び、前記配線コードを支持可能なリブ壁を設ける構成とした。
【０００６】
本発明（第１発明）によれば、配線孔の周縁部にリブ壁が設けられるため、配線孔の孔面が板材の板厚方向に延長される。このため、配線コードが配線孔の周縁部に当たっても、配線孔の周縁部と配線コードとの接触部分で摩擦等による力が一箇所に集中しにくく、コード表面に疵が付きにくくなる。
【０００７】
ここで、本発明（第１発明）において、「電装品」としては、例えば、主制御装置、副制御装置、払出制御装置、球発射装置、装飾ランプ、音響スピーカ等が含まれる。「板材」には、電装品を収納する各種ケースの他、電装品を取り付けるためのガラス枠、前面枠、機構枠等も含まれる。また、「リブ壁」は、板材の片面のみならず、両側の面に設けてもよい。
【０００８】
［第２発明］
一般に、パチンコ機等の遊技機は、前面枠、機構枠の枠体で遊技機の正面側と背面側とを仕切る構造になっている。したがって、これらの枠体には、正面側の電装品と背面側の電装品とを接続するための配線通路を確保することが必要になる。
従来、このような枠体に配線コードを通すための手段としては、例えば、枠体の外周部にフックや切り欠き等の開放型の配線孔を設け、これらの配線孔に配線コードを引っ掛けて遊技機の前後に通すようにしている。
【０００９】
しかしながら、このように枠体の外周部に開放型の配線孔を設ける構成であると、枠体の外側へ引き出す配線コードが長くなり、また、配線コードが他の構成部品の邪魔になることもある。
【００１０】
これに対し、電装品の位置を考慮した最適な位置（例えば板面面中央など）に、枠体の板面を貫く非開放型の配線孔を設けることが考えられるが、このように枠体の板面に非開放型の配線孔を設けると、配線コードのコネクタ端子を通すために配線孔の孔サイズが大きくなりやすく、配線孔の周辺部で枠体の機械的な強度が低下しやすいという別の問題が生じることになる。
前面枠、機構枠等の枠体には、通常、各種の電装品が全面に亘って配置されているため、枠体の強度を高く保つことはきわめて重要である。
【００１１】
そこで、本発明（第２発明）による遊技機は、上記のような問題点を解消するため、次のような特徴を備える構成とした。
すなわち、本発明（第２発明）による遊技機は、電装品を装着した前枠、機構枠等の枠体に前記電装品の配線コードを通すための配線孔を設けるようにした遊技機において、
前記配線孔の周縁部に、前記配線孔の孔面に連なって前記枠体の板厚方向に延び、前記配線コードを支持可能なリブ壁を一体成形によって形成し、
かつ、前記配線孔は、前記枠体の板面を貫く非開放型の配線孔であり、しかも、前記枠板の板面からの前記リブ壁の高さは、前記枠体の板厚に近い程度の高さに抑えられることを特徴としている。
【００１２】
本発明（第２発明）によれば、配線孔の周縁部に配線コードが当たっても、リブ壁で支持することでコード表面が劣化しにくい。
また、枠体の板面に非開放型の配線孔を設けるため、遊技機の前面側から背面側に最短距離で配線コードを引き出すことができ、電装品の配線をまとめて整理しやすくなる。
さらに、枠体の板厚に近い高さの一体成形によるリブ壁によって配線孔の周縁部が補強されるため、配線孔の周辺部の板面強度が極めて高くなる。これにより、各種電装部品等の枠体への装着状態が安定し、より信頼性の高い配線接続を行うことができる。
【００１３】
さらに、本発明（第２発明）によれば、リブ壁の高さを枠体の板厚に近づけるように低く抑えることに起因して下記のような優れた効果も得ることができる。
Ａ．リブ壁が頑丈になるため、配線コード等から大きな力を受けても割れや変形等が生じにくい。
Ｂ．リブ壁が枠板上の構成部品の邪魔になりにくい。
Ｃ．配線孔に配線コードを通す際に、配線孔の周りの全方向への取り回しが良好になる。
Ｄ．金型形状も単純であり、安価に製作することができる。
【００１４】
本発明（第２発明）において、「枠体の板厚に近い程度の高さ」とは、枠体の板面に十分な強度が得られる高さを意味し、例えば、枠体の板厚に対し、１／２〜２倍程度までの高さを含む。板厚の１／２程度以上としたのは、リブ壁の高さが低すぎると、配線孔の孔面に配線コードが当たったときに、コード表面に疵が付きやすくなるためである。また、板厚の２倍程度以下としたのは、逆にリブ壁の高さが高すぎると、リブ壁自体の強度が低下しやすくなるからである。
【００１５】
また、本発明（第２発明）において、「配線孔」の形状は、円形、楕円、長円等の丸形であることが望ましい。このような丸形の「配線孔」を採用すると、配線コードが引っ張られてリブ壁に負担がかかっても、応力が集中しにくく、機械的な強度が低下しにくいからである。また、配線コードがいずれの方向に引っ張られても、リブ壁の全周に亘って十分な強度を得やすくなる。さらに、「配線孔」から配線コードを引き出すとき、弧状部分にコード束を収めることで、配線コードが安定しやすくなる。
【００１６】
なお、関連する先行技術としては、特許文献１が挙げられるが、この種の遊技機は、枠体の配線孔に別部材を組み付けてリブ壁を構成するもので、配線孔の周縁部にリブ壁を一体成形するものではない。位置決めと同時に配線を保護することができる利点があるが、複数の部材を用いることになるし、これらの孔構造が複雑になりやすい。本発明（第２発明）では、配線孔そのものの周縁部に直接リブ壁を一体成形することで、簡単かつ確実に配線孔の周囲の板面を強化することができる。この点、本発明（第２発明）は、特許文献１に係る発明とは異なっている。
【００１７】
［第３発明］
本発明（第３発明）による遊技機は、前記リブ壁の頂部に、前記配線コードを受ける凹溝を設けたことを特徴としている。
【００１８】
配線孔の付近で配線コードが折り曲げられるときには、リブ壁の頂部に配線コードが押し付けられることも考えられる。このような状態で配線コードが頻繁に動くと、リブ壁と配線コードの接触部分でコード表面が劣化することも考えられる。
本発明（第３発明）によれば、リブ壁の頂部に凹溝が形成されるため、この凹溝に配線コードの折曲げ部分を収めることができる。これにより、リブ壁の頂部配線コードが接触しても、配線コードが凹溝に安定して保持され、コード表面が劣化しにくくなる。また、凹溝内に複数の配線コードを簡単に束ねることもできる。
【００１９】
［第４発明］
本発明（第４発明）の遊技機は、前記リブ壁の先端に、前記配線孔の周方向に連なる断面弧状の面取りが施されることを特徴としている。
【００２０】
本発明（第４発明）によれば、リブ壁の先端に断面弧状の面取りが施されるため、リブ壁の先端に配線コードが当たっても、リブ壁と配線コードとの接触部分の滑りが良好になる。したがって、配線コードがリブ壁からさらに摩擦を受けにくくなる。
また、リブ壁の先端が丸いので、リブ壁の先端部分の強度が高まり、成形時の型抜きを良好にすることができる。
【００２１】
本発明（第１〜４発明）は、電装品の配線孔を備えた各種遊技機に適用することができる。例えば、パチンコ機、アレンジボール機、雀球遊技機等のように機構枠を備える機種の他、スロットマシン、テレビゲーム機等に適用することも可能である。
本発明（第１〜４発明）は、必要に応じて単独で適用してもよいし、各発明を組み合わせて適用してもよい。また、本明細書に記載される他の発明を組み合わせてもよい。
【００２２】
【発明の実施の形態】
以下、本発明の実施の形態を図面に基づいて説明する。
図１に示すように、パチンコ機１０は、遊技者の正面側にガラス枠１１が設けられる。ガラス枠１１の内側に遊技領域Ｐが見えるようになっている。遊技領域Ｐには、変動図柄等を表示する図柄表示装置１２、図柄表示装置１２の抽選図柄表示を開始させる始動ゲート１３、大当たり時に開閉して遊技球の入賞を促すアタッカ装置１４等が設けられる。
ガラス枠１１の下方には、上皿ユニット１５および下皿ユニット１６が設けられる。上皿ユニット１５および下皿ユニット１６の正面側に遊技球を貯留するための受け皿が形成される。下皿ユニット１６の図１で右寄りの位置には、遊技球を遊技領域Ｐに発射させるハンドル１７が設けられる。
【００２３】
ガラス枠１１の正面には、遊技領域Ｐを取り囲むように表示ランプ１８ａ〜１８ｈが設けられる。ガラス枠１１の図１で左端部に装飾ランプ１８ａ、１８ｂ、１８ｃ、右端部に装飾ランプ１８ｄ、１８ｅ、１８ｆがそれぞれ縦方向に並んで配置されている。ガラス枠１１の上端部には、装飾ランプ１８ｇおよび１８ｈが横方向に並んで配置されている。
装飾ランプ１８ａ〜１８ｈは、その正面にガラス枠１１の表面装飾に合わせて波形に縁取りされた半透明のカバーが設けられており、これらのカバーの裏側にＬＥＤ等の光源が取り付けられている。光源が点灯すると、これらのカバーを通して遊技者側に装飾ランプ１８ａ〜１８ｆの照明が見えるようになっている。
【００２４】
上皿ユニット１５には音響スピーカ１９が取り付けられている。音響スピーカ１９は、上皿ユニット１５の裏側のステーに支持され、パチンコ機１０の正面側に向けられている。上皿ユニット１５の膨出部にはスリットが形成され、これらのスリットの間から音響スピーカ１９の効果音が遊技者側に届くようになっている。
【００２５】
図２に示すように、パチンコ機１０の外周は外枠２１で仕切られる。外枠２１の前面側に、遊技盤２４を備えた前面枠２２が設けられ、この前面枠２２の前面にガラス枠１１、上皿ユニット１５および下皿ユニット１６が取り付けられている。
前面枠２２の図２で左端部にはヒンジ２３ａ、２３ｂが設けられる。前面枠２２は、ヒンジ２３ａ、２３ｂによりガラス枠１１、上皿ユニット１５および下皿ユニット１６と一体に外枠２１の前方側に開閉する。
また、ガラス枠１１および上皿ユニット１５の図２で左端部にもヒンジ機構が設けられており、ガラス枠１１および上皿ユニット１５がそれぞれ別個に前面枠２３の前方側に開閉するようになっている。
【００２６】
図３は、パチンコ機１０の前面枠２２を開いた状態を示している。前面枠２２の裏側には機構枠３０が固定される。機構枠３０には、遊技球を貯留するための球タンク３１、遊技球を球タンク３１から払出通路に導くタンクレーク３２、カードユニット接続用のインタフェース基板を備えたサンド接続器３３、入賞数および貸出数に応じて遊技球を受け皿側へ払い出す球払出ユニット３４、入賞球および貸出球の払い出しを制御する払出制御装置３５、各種装置への配電を行う電源装置３６、遊技球を発射を制御する発射制御装置３７等がそれぞれ所定の箇所に配置されている。
【００２７】
機構枠３０の中央部に開放する窓Ｗは、遊技盤２４の縦横寸法に合わせて形成される。窓Ｗの後方に遊技盤２４が着脱自在に装着される。そして、図４に示すように、遊技盤２４の背後に、パチンコ機１０の遊技を実現するための主制御装置４１および副制御装置４２が取り付けられる。
【００２８】
図５に示すように、パチンコ機１０の配線系統は、主制御装置４１および副制御装置４２を中心に構成される。主制御装置４１は、遊技全体を管理するもので、払出制御装置３５、発射制御装置３７、大入賞口端子板４５、入賞スイッチ４６等が接続される。副制御装置４２は、遊技画面の表示、ランプ点灯、効果音等の遊技の演出を制御するもので、図柄表示装置１２、装飾ランプ１８ａ〜１８ｈ、音響スピーカ１９等が接続される。なお、図５において、各ブロック間の矢印は、入力信号および出力信号の向きを示している。
【００２９】
主制御装置４１から払出制御装置３５、発射制御装置３７、大入賞口端子基板４５等にパチンコ機１０の遊技状態に応じて各種の指示信号が送られる。また、遊技球の入賞時等には、大入賞口端子基板４５、入賞スイッチ４６等からそれぞれ検出信号が主制御装置４１へ送られる。
一方、主制御装置７１から副制御装置４２に図柄コード、抽選コード等の遊技信号が送られると、副制御装置７２では、この遊技信号を処理して図柄表示装置１２、装飾ランプ１８ａ〜１８ｈ、音響スピーカ１９等に作動信号を送る。副制御装置７２からの作動信号に応じて図柄表示装置１２が所定の変動図柄を表示させると、これに同期するように装飾ランプ１８ａ〜１８ｈが所定のタイミングで点灯し、音響スピーカ１９から効果音が流れるようになっている。
【００３０】
本実施形態では、前述したパチンコ機１０の電装品のうち、装飾ランプ１８ａ〜１８ｈと副制御装置４２とを接続する配線コードの配線孔に本発明を適用している。以下、配線コードの接続部分の構成および作用について説明する。
【００３１】
機構枠３０の上端部には、装飾ランプ１８ａ〜１８ｈと副制御装置４２との配線コードを中継するための中継基板５０が設けられる（図６参照）。中継基板５０は、副制御装置４２からの信号を入力するための入力端子用コネクタ５１と、装飾ランプ１８ａ〜１８ｈへ信号を出力するための出力端子用コネクタ５２とを備えている。
【００３２】
中継基板５０の左隣の位置には、機構枠３０の板面３０ａを貫通する配線孔Ｈが設けられる。図７に示すように、配線孔Ｈは、横長円形の形状になっており、配線孔Ｈの横方向の幅が縦方向の幅よりも長い。配線孔Ｈの左右に円弧部が向き合っている。配線孔Ｈの大きさは、配線コードおよび先端のコネクタ端子を通すことができる程度の縦幅および横幅をもつ。
【００３３】
配線孔Ｈの周縁部にはリブ壁５３が立ち上げられる。リブ壁５３は、板面３０ａからほぼ垂直に延びている。ほぼ一定の高さ寸法を保って配線孔Ｈの周方向に連なっている。
リブ壁５３の板面３０ａからの高さＬ１は、機構枠３０の板厚Ｌ０に近い寸法に抑えられる。また、リブ壁５３の厚さＬ２についても、機構枠３０の板厚Ｌ０にほぼ等しい厚さになっている。
孔軸方向からリブ壁５３を見ると、配線孔Ｈと同様に横長円形である（図９参照）。板厚Ｌ０の孔壁面がそのままリブ壁５３の内壁面に連なって配線孔Ｈの孔面を形成している。
【００３４】
図８に示すように、機構枠３０を正面側から見ると、前面左端部の球タンク３１の脇に板面３０ａが露出し、この板面３０ａに配線孔Ｈがそのまま開放される。配線孔Ｈの周縁部には、リブ壁は設けられていない。これは、前面枠２２と機構枠３０とを閉じた状態ではこれらの枠の間にほとんど隙間がなくなるため、リブ壁を省略してより広いスペースを確保するためである。また、機構枠３０の正面側にリブ壁を省略することで、前面枠２２と機構枠３０との間から配線孔Ｈを通して機構枠３０の正面側に配線コードを容易に引き出すことができる。
【００３５】
リブ壁５３の製法としては、合成樹脂材料等により機構枠３０を成形する際に、板面３０ａにリブ壁５３を一体成形する。板面３０ａの配線孔Ｈの周縁部にリブ壁５３が一体となって連なることにより、配線孔Ｈの周辺部の板面強度がきわめて大きくなる。
機構枠３０の成形方法としては、一般的な成形方法である射出成形、プレス成形等によることができる。機構枠３０の板面３０ａに対しほぼ垂直にリブ壁５３が延びるため、型抜きが簡単であり、成形型の作製コストも抑えることができる。
【００３６】
図４には、中継基板５０の入力端子用コネクタ５１および出力端子用コネクタ５２に接続される配線コード５５および５６を示した。配線コード５５は、副制御装置４２の下部コネクタ４２ａから、機構枠３０の内部を通って中継基板５０の裏側付近まで引き出され、配線孔Ｈを通って中継基板５０の入力端子用コネクタ５１に接続される。配線コード５６は、中継基板５０の出力端子用コネクタ５２から機構枠３０のヒンジ側脇の配線孔を通って正面側に行き、ガラス枠１１の装飾ランプ１８ａ〜１８ｈのランプ基板に接続される。
【００３７】
ここで、副制御装置４２から中継基板５０に接続される配線コード５５は、機構枠３０の正面側から配線孔Ｈを通ってほぼ９０゜方向を変えて入力端子用コネクタ５１側へ引き出されている（図９参照）。このため、配線コード５５が中継基板５０側へ引っ張られて配線孔Ｈの孔面に当たりやすくなっている。
本実施形態では、配線孔Ｈ内で配線コード５５が中継基板５０側へ引っ張られても、コード表面がリブ壁５３によって支持されるため、配線コード５５が板面３０ａに沿って急な角度で折り曲がることはない（図１０および図１１参照）。また、配線コード５５がリブ壁５３に当たっても、リブ壁５３の壁面全体で配線コード５５に接触することができるため、コード表面に摩擦が生じにくく、配線孔Ｈ内で損傷を受けにくくなる。
【００３８】
このように本実施形態のパチンコ機１０によれば、配線孔Ｈ内で配線コード５５が無理に折り曲げられたり、コード表面が摩擦等で劣化することが抑えられる。これにより、副制御装置４２と中継基板５０との間で信頼性の高い配線接続を行うことができる。
また、リブ壁５３が配線孔Ｈの全周に連なって形成されるため、機構枠３０の板面３０ａに配線孔Ｈを開けたことによる強度低下が少なく、配線孔Ｈの周縁部で板面３０ａの割れや変形といった不具合が生じにくくなる。
また、リブ壁５３の高さＬ１が機構枠３０の板厚Ｌ２程度の比較的低いものであるために、リブ壁５３の壁面が頑丈になり、機械的な強度が極めて高くなる。
さらに、中継基板５０に隣り合う位置に配線孔Ｈが貫通するため、副制御装置４２と中継基板５０とを短い距離で接続することができ、他の構成部品の邪魔になることなく、配線コード５５をまとめて整理しやすくなる。
【００３９】
次に、本発明による遊技機の他の実施形態について説明する。
図１２に示す実施形態は、リブ壁の先端に断面弧状の面取りを施したものである。枠体６０は、配線孔Ｈの周端部にリブ壁６１が立ち上げられている。
リブ壁６１は、配線孔Ｈの内周に沿って連なっている。リブ壁６１の壁面は、付け根部６１ａから枠体６０の板面にほぼ垂直に延びる。リブ壁６１の高さは、枠体６０の板厚とほぼ等しく、配線孔Ｈの周方向に均一に保たれる。そして、リブ壁６１の先端６１ｂには、角部がなくなるようにその縦断面がほぼ半円弧状の面取りが施されている。
【００４０】
本実施形態によれば、リブ壁６１の先端部６１ｂが面取りされているので、リブ壁６１に配線コード６５が当たっても、コード表面は滑りやすく、先端部６１ｂに引っ掛からない。これにより、配線コード６５が配線孔Ｈ内でさらに疵付きにくくなり、より安全な接続を行うことができる。
なお、図１２に示すように、リブ壁６１の付け根部６１ａに断面弧状の面取りを施してもよい。リブ壁６１の付け根部６１ａおよび先端部６１ｂに面取りを施すことで、配線コード６５の表面がさらに劣化しにくくなる。
【００４１】
図１３に示す実施形態は、リブ壁の頂部に配線コードを受ける凹溝を設けたものである。
枠体７０は、配線孔Ｈの周縁部にリブ壁７１が立ち上げられる。リブ壁７１の頂部７１ａは、ほぼ均一な高さに揃っている。頂部７１ａのうち図１２の正面側の位置に凹溝Ｍが形成されている。凹溝Ｍは、リブ壁７１の先端から弧状に凹んだ形状になっており、この凹みの深さは、配線コード７５の太さ程度である。
【００４２】
リブ壁７１によれば、配線コード７５が頂部７１ａで折り曲げられたとき、コード束を凹溝Ｍに受けることができる。これにより、配線コード７５が図１３で左右向にズレても、凹溝Ｍから外れることなく、定位置に保持される。すなわち、配線コード７５の保持位置が安定しやすくなり、より信頼性の高い接続を行うことが可能になる。
【００４３】
前記実施形態を説明したが、本発明の実施形態は、これらに限られることなく種々の変更が可能である。
前記実施形態においては、機構枠の配線孔にリブ壁を設けたが、機構枠に限らず、前面枠やガラス枠の配線孔にリブ壁を設けてもよい。特に、配線コードが引っ張られやすい開閉式の枠体に本発明を適用すると効果的である。
また、前記実施形態では、枠体の片面側のみにリブ壁を設けているが、枠体の両面にリブ壁を立ち上げるようにしてもよい。
【００４４】
【発明の効果】
以上説明したように、本発明の遊技機によれば、次のような優れた効果を奏する。
（ａ）  配線コードが配線孔の周端部に当たって劣化しにくいため、電装品を安心して接続することができる。
（ｂ）  配線孔の周縁部をリブ壁によって補強することにより、配線孔による枠体の強度低下を抑えることができる。
（ｃ）  短い配線経路で電装品同士を効率よく接続することができる。
【図面の簡単な説明】
【図１】本発明の実施形態による遊技機を示す正面図である。
【図２】本発明の実施形態による遊技機を示す前方斜視図である。
【図３】本発明の実施形態による遊技機を示す後方斜視図である。
【図４】本発明の実施形態による遊技機を示す背面図である。
【図５】本発明の実施形態による遊技機の配線系統を説明するためのブロック図である。
【図６】本発明の実施形態による機構枠を示す後方斜視図である。
【図７】図６に示す機構枠の配線孔部分の部分拡大図である。
【図８】本発明の実施形態による機構枠を示す前方斜視図である。
【図９】本発明の実施形態による機構枠の部分拡大図であって、機構枠の配線孔部分をを示す平面図である。
【図１０】図９に示すリブ壁の断面図である。
【図１１】図９に示すリブ壁の一部切欠側面図である。
【図１２】本発明の他の実施形態による配線孔のリブ壁を示す断面図である。
【図１３】本発明の他の実施形態による配線孔のリブ壁を示す一部切欠側面図である。
【符号の説明】
１０    パチンコ機（遊技機）
１１    ガラス枠（枠体）
１８ａ〜１８ｈ  装飾ランプ
１７    ハンドル
２１    外枠
２２    前面枠（枠体）
２４    遊技盤
３０    機構枠（枠体）
３０ａ  板面
３３    サンド接続器（電装品）
３４    球払出ユニット（電装品）
３５    払出制御装置（電装品）
３６    電源装置（電装品）
３７    発射制御装置（電装品）
４１    主制御装置（電装品）
４２    副制御装置（電装品）
５０    中継基板
５１    入力端子用コネクタ
５２    出力端子用コネクタ
５３    リブ壁
５５、５６  配線コード
Ｈ    配線孔
Ｋ    切り欠き
Ｌ０    板厚
Ｌ１    高さ
Ｌ２    厚さ
Ｍ    凹溝
【図１】
2004248952.tif 000003
【図２】
2004248952.tif 000004
【図３】
2004248952.tif 000005
【図４】
2004248952.tif 000006
【図５】
2004248952.tif 000007
【図６】
2004248952.tif 000008
【図７】
2004248952.tif 000009
【図８】
2004248952.tif 000010
【図９】
2004248952.tif 000011
【図１０】
2004248952.tif 000012
【図１１】
2004248952.tif 000013
【図１２】
2004248952.tif 000014
【図１３】
2004248952.tif 000015